(57)【要約】【課題】ホットスポットサービスのサービスエリアであることを周囲の景観と調和させつつ目立つように表示することができる公衆無線ＬＡＮ装置を提供する。【解決手段】種々の情報表示手段３が備えられたサイン２０にホットスポット表示手段２を一体に組み込むことで、ホットスポット表示手段２を目立つものとしてもサインの情報表示手段３によりサイン２０と調和され、ホットスポットサービスのサービスエリアであることを周囲の景観と調和させつつ目立つように表示することができる。【参照図】        図１【特許請求の範囲】
【請求項１】
無線ＬＡＮのアクセスポイントと、該アクセスポイントを保護すると共に公衆無線ＬＡＮのアクセスポイントの存在を表示するホットスポット表示手段とを備え、該アクセスポイントとホットスポット表示手段とが、情報表示手段を備えたサインに一体に組み込まれていることを特徴とする公衆無線ＬＡＮ装置。
【請求項２】
前記ホットスポット表示手段は、内照式の表示装置であることを特徴とする請求項１に記載の公衆無線ＬＡＮ装置。
【発明の詳細な説明】
【技術分野】
【０００１】
本発明は、公衆無線ＬＡＮのアクセスポイントを内蔵し、設置された周囲にホットスポットサービスを提供する公衆無線ＬＡＮ装置に関するものである。
【背景技術】
【０００２】
公衆無線ＬＡＮのアクセスポイントを設置し、設置された周囲にホットスポットサービスを提供することに関しては、ホットスポットサービスのサービスエリアにおいて、ローミング契約関係等にあるユーザを識別できる特許文献１をはじめ、種々の発明がなされてきている。
【０００３】
【特許文献１】特開２００４−８８４２４号公報
【発明の開示】
【発明が解決しようとする課題】
【０００４】
しかしながら、特許文献１に記載の如き従来の公衆無線ＬＡＮ装置は、通信事業者や店舗・飲食店の経営者などが、空港の待合ロビー、店舗内、飲食店内、および人の多く集まる屋外に設置しているが、その地点がホットスポットサービスのサービスエリアであることを表示するには、その表示を目立たせることが必要であると共に、周囲の景観と違和感がないように設置する必要もあり、その調和を図るのに細心の配慮を行う必要があった。
【０００５】
本発明は上記の如き課題に鑑みてなされたものであり、ホットスポットサービスのサービスエリアであることを周囲の景観と調和させつつ目立つように表示することができる公衆無線ＬＡＮ装置を提供せんとするものである。
【課題を解決するための手段】
【０００６】
上記目的を達成するため、本発明は以下のような構成としている。すなわち、本発明に係わる公衆無線ＬＡＮ装置は、無線ＬＡＮのアクセスポイントと、該アクセスポイントを保護すると共に公衆無線ＬＡＮのアクセスポイントの存在を表示するホットスポット表示手段とを備え、該アクセスポイントとホットスポット表示手段とが、情報表示手段を備えたサインに一体に組み込まれていることを特徴とするものである。
【０００７】
また前記ホットスポット表示手段は、内照式の表示装置であることを特徴とするものである。
【発明の効果】
【０００８】
請求項１に記載の本発明に係わる公衆無線ＬＡＮ装置によれば、種々の情報表示手段が備えられたサインにホットスポット表示手段を一体に組み込むことで、ホットスポット表示手段を目立つものとしてもサインの情報表示手段によりサインと調和され、ホットスポットサービスのサービスエリアであることを周囲の景観と調和させつつ目立つように表示することができる。
【０００９】
また請求項２の発明によれば、夜間においてもホットスポットのサービスエリアであることを視認することが容易となり好ましい。
【発明を実施するための最良の形態】
【００１０】
本発明に係わる最良の実施の形態について、図面に基づき以下に具体的に説明する。
【００１１】
図１は、本発明に係わる公衆無線ＬＡＮ装置の、第一の実施形態を示す説明図である。公衆無線ＬＡＮ装置１０は、アルミニウム製の押出形材からなる支柱４に、周辺地図を描画した表示板である情報表示手段３が取り付けられて形成されたサイン２０の、支柱４上端に乳半白色のアクリル樹脂成形体に携帯電話の電波送受信のピクトが表示されたホットスポット表示手段２が取り付けられ、ホットスポット表示手段２の内部には無線ＬＡＮのアクセスポイント（本図においては図示せず）が内蔵されている。
【００１２】
図２は、支柱４への無線ＬＡＮのアクセスポイントの取り付けを示す説明図である。支柱４は上面にビス孔４１が設けられたボックス形状で、無線通信を行うアクセスポイント１の下側に設けられた取付部１１に設けられた取付孔１１１に挿通されたビスＢ１が上方からビス孔４１に螺着されることで取り付けられる。次に、ホットスポット表示手段２は下方に開口した中空体で、その下面には下方からビスが螺着可能なビス孔２１が設けられ、取付部１１の、支柱４の側面から張り出された張り出し部１２に設けられた貫通孔１１２とビス孔２１との位置が合致させられており、貫通孔１１２に挿通されたビスＢ２がビス孔２１に螺着されることで、ホットスポット表示手段２内にアクセスポイント１が収納されて保護されるが、ホットスポット表示手段２は合成樹脂であるアクリル樹脂製であることから、無線ＬＡＮにおける通信に係わる電波の透過を妨げることがない。更には下側に取り付けられた取付部１１を用いて螺着されることで、ビスＢ１及びＢ２に金属製のものを用いても電波の透過を妨げることがない。
【００１３】
更に、ホットスポット表示手段２の内面や、アクセスポイント１の外面に照明装置を設け、ホットスポット表示手段２を内照式のものとすれば、夜間においてもホットスポット表示手段２の表示内容を容易に視認することができ、照明の少ない場所に設置しても無線ＬＡＮの利用者に認知されやすくなり好ましい。
【００１４】
無線ＬＡＮは、一般的な２．４ＧＨｚ帯の電波を利用したＩＥＥＥ８０２．１１等の比較的広域をホットスポットとできるものを用いれば、サービスエリアを広くして利用者の利便性を高めることができる。また、Ｂｌｕｅｔｏｏｔｈ（登録商標）の如くＰＡＮ（Ｐｅｒｓｏｎａｌ  Ａｒｅａ  Ｎｅｔｗｏｒｋ）と呼ばれる２．４ＧＨｚ帯の電波を利用し、比較的狭域をホットスポットとできるものを用いれば、アクセスポイント１の設置に係わる費用を低減することができる。
【００１５】
かかるサイン２０と、無線ＬＡＮのアクセスポイント１との組み合わせにより、ホットスポット表示手段２を目立つピクトや文字等を描画したものとしても、サイン２０にピクトや文字等が描画されることは一般に認知されており、且つ情報表示手段４と相俟って周囲の景観と違和感を感じることが少なく、空港の待合ロビー、店舗内、飲食店内等に設置される場合の如く、周囲との調和を図るべく細心の配慮を図る必要が小さくできる。またサイン２０は誘目性を高めるべく種々の工夫がなされており、設置されたアクセスポイント１の認知は促進されるものとなり得る。
【００１６】
図３は、本発明に係わる公衆無線ＬＡＮ装置の、第二の実施形態を示す説明図である。公衆無線ＬＡＮ装置１０は、二体の支柱４間に周辺地図を描画した表示板である情報表示手段３が差し渡されて取り付けられることで形成されたサイン２０に、情報表示手段３の右上の一部を内照式のホットスポット表示手段２が占めて形成されているものである。ホットスポット表示手段２は、情報表示手段３と相俟って周囲の景観と違和感がないようになされているが、更に情報表示手段３の表示面から前方に突出されることで誘目性が高められている。
【００１７】
図４は、情報表示手段３への無線ＬＡＮのアクセスポイントの取り付けを示す説明図である。情報表示手段３にまず断面コ字状の取付部１１が取り付けられ、取付部１１にアクセスポイント１がねじ止めにより取り付けられる。取付部１１から前方に突出された取付板１３にビス孔１３１が設けられ、取付板１３の外側に弁当箱状のホットスポット表示手段２が取り付けられるが、ホットスポット表示手段２の側面には、ビス孔１３１と重なり合う位置に取付孔２１が穿設され、取付孔２１に挿通されたビスＢ３がビス孔１３１に螺着されることで、ビスＢ３が金属製であっても無線ＬＡＮ通信に係わる電波の透過を妨げることなく、ホットスポット表示手段２を取付部１１に取り付け、アクセスポイント１を保護することができる。
【図面の簡単な説明】
【００１８】
【図１】本発明に係わる公衆無線ＬＡＮ装置の、第一の実施形態を示す説明図である。
【図２】第一の実施形態におけるホットスポット表示手段の取り付けを示す説明図である。
【図３】本発明に係わる公衆無線ＬＡＮ装置の、第二の実施形態を示す説明図である。
【図４】第二の実施形態におけるホットスポット表示手段の取り付けを示す説明図である。
【符号の説明】
【００１９】
１    アクセスポイント
２    ホットスポット表示手段
３    情報表示手段
１０  公衆無線ＬＡＮ装置
２０  サイン
【図１】
2006033665.tif 000002
【図２】
2006033665.tif 000003
【図３】
2006033665.tif 000004
【図４】
2006033665.tif 000005